(57)【要約】【課題】特別遊技状態制御にかかる処理の増大を招くことなく、しかも遊技者の興趣を良好に保つことができるパチンコ遊技機を提供する。【解決手段】主制御手段により特別遊技状態が生起された際、副制御手段は音声と動画像とが同調したタイミングでもって出力されるように制御を行う。そして特別遊技状態動画像データ及び特別遊技状態音声データの所定時間に渡る再生終了までに検出手段により特別遊技状態の終了が検出されなかったときは、動画像と音声を繰り返し出力する制御を行う一方、特別遊技状態動画像データ及び特別遊技状態音声データの再生中に検出手段により特別遊技状態の終了が検出されたときは、動画像と音声の出力を停止する制御を行うようにした。【選択図】図５
2011005318.tif 000002
【特許請求の範囲】
【請求項１】
始動条件の成立に伴い乱数値を抽出する主制御手段を有し、該主制御手段からの前記乱数値に関するデータに基づき所定回数を上限として可変入賞装置を閉成状態から開成状態へと繰り返し可変動作させる特別遊技状態が生起されるように構成したパチンコ遊技機において、
動画像を表示する画像表示手段と、
所定時間連続して再生するように構成された特別遊技状態動画像データ及び前記特別遊技状態動画像データと同等の再生時間を有する特別遊技状態音声データを記憶した記憶手段と、
前記特別遊技状態の終了を検出する検出手段と、
前記特別遊技状態音声データに応じた音声を出力する音声出力手段と、
前記主制御手段により前記特別遊技状態が生起された際に、前記記憶手段に記憶された前記特別遊技状態動画像データを読み出して、前記特別遊技状態中に、前記可変入賞装置の開閉回数に関係なく且つ複数の開閉動作に跨って、前記特別遊技状態動画像データに応じた動画像を前記画像表示手段に連続的に表示する表示制御を行う副制御手段と、を備え、
前記副制御手段は、前記音声出力手段から出力される前記特別遊技状態音声データに応じた音声と前記画像表示手段に表示される前記特別遊技状態動画像データに応じた動画像とが同調したタイミングでもって出力されるように制御すると共に、
前記特別遊技状態動画像データ及び前記特別遊技状態音声データの所定時間に渡る再生終了までに記検出手段により前記特別遊技状態の終了が検出されなかったときは、前記特別遊技状態動画像データに応じた動画像を繰り返し前記画像表示手段により表示する制御と前記特別遊技状態音声データに応じた音声を繰り返し前記音声出力手段から出力する制御を行う一方、前記特別遊技状態動画像データ及び前記特別遊技状態音声データの再生中に前記検出手段により前記特別遊技状態の終了が検出されたときは、前記特別遊技状態動画像データに応じた動画像の出力と前記特別遊技状態音声データに応じた音声の出力を停止する制御を行うことを特徴とするパチンコ遊技機。
【発明の詳細な説明】
【技術分野】
【０００１】
本発明はパチンコ遊技機に係り、特に特別遊技状態において図柄表示装置に表示する特別遊技状態動画像に関するものである。
【背景技術】
【０００２】
従来のパチンコ遊技機にあっては、特別遊技状態が生起されると遊技制御装置より１ラウンド毎に予め設定された特別遊技状態動画像データを読み出し、これを図柄表示装置に出力するようにしていた（例えば特許文献１）。
【先行技術文献】
【特許文献】
【０００３】
【特許文献１】特開２００１−２３９０１１公報
【発明の概要】
【発明が解決しようとする課題】
【０００４】
しかしながら、上記のようなパチンコ遊技機では、特別遊技状態において１ラウンド毎に予め設定した動画像を表示するには、遊技制御装置から１ラウンド毎に夫々対応した動画像データを図柄表示装置に出力する必要があるため、遊技制御装置の特別遊技状態の制御にかかる処理が増大してしまい、遊技制御装置に多くの負荷を強いるという問題点があった。
また現在主流となっている上記したようなパチンコ遊技機においては、遊技者の興趣を盛り上げるために、特別遊技状態のラウンド毎に割り当てられている動画像データに当該特別遊技状態の終了後に新たな特典遊技（確率変動や時間短縮遊技等）を遊技者に付与するか否かの抽選や、抽選結果の報知を行う動画像データを含んで構成しているものがある。しかし、そのようなパチンコ遊技機では、大入賞口への規定数の入球が早期に達成される等の事象によって、例えば図柄表示装置に特典遊技の抽選動画像が表示されている最中や、抽選結果報知が行われる前に、特典遊技の抽選画像や抽選結果画像を含んだラウンドから次ラウンドへと移行すると、これに伴い動画像も切り替わってしまうので遊技者の興趣が削がれるという問題点があった。
【０００５】
図６は、従来のパチンコ遊技機における特別遊技状態動画像データと特典抽選用動画像データの再生タイミングを示したタイミングチャートである。
通常遊技状態において、特別遊技状態が生起され、（ａ）に示すように特別遊技状態信号がオフ（ＯＦＦ）からオン（ＯＮ）になると、パチンコ遊技機の遊技制御装置は、時点ｔ１１において、（ｃ）に示すように特別遊技状態動画像データを再生して、図柄表示装置に１ラウンド用動画像を表示させるようにする。またこれとほぼ同時に（ｅ）に示すように特別遊技状態音声データを再生してスピーカから特別遊技音声を出力する。
次に、時点ｔ１２において、（ｂ）に示すように大入賞口を閉成状態から開成状態にして１ラウンド目の開放を行う。そして大入賞口に規定球数の入賞又は規定時間経過した時点ｔ１３において、一旦、大入賞口を閉成状態にすると共に、（ｃ）に示すように１ラウンド用動画像データの再生を停止する。そして時点ｔ１３から所定時間経過した時点ｔ１４において、（ｂ）に示すように大入賞口を再び開成状態にして２ラウンド目の開放を行うと共に、（ｃ）に示すように２ラウンド用の特別遊技状態動画像データを再生して図柄表示装置に表示させるようにする。またこれと同時に（ｄ）に示す特典抽選用動画像データを再生して図柄表示装置に表示させるようにする。つまり、ここでは２ラウンド用の特別遊技状態動画像に特典抽選用動画像を重畳して表示させるようにしている。そして大入賞口への規定数の入球又は規定開放時間が経過した時点ｔ１５において、再び（ｂ）に示すように大入賞口を閉成状態にすると共に、（ｃ）（ｄ）に示すように２ラウンド用動画像データ及び特典抽選用動画像データの再生を停止する。そしてこの時点ｔ１５から所定時間経過した時点ｔ１６において、（ｂ）に示すように大入賞口を開成状態にして３ラウンド目の開放を行うと共に、（ｃ）に示すように３ラウンド目の特別遊技状態動画像データを再生して図柄表示装置に表示させるようにする。またこれと同時に（ｄ）に示すように特典抽選用動画像データを再生して図柄表示装置に抽選結果報知画像を重畳して表示させるようにする。つまり、ここでは３ラウンド用の特別遊技状態動画像に抽選結果報知画像を重畳して表示させるようにしている。
【０００６】
そして再び大入賞口への規定数の入球又は規定開放時間が経過した時点ｔ１７において、（ｂ）に示すように大入賞口を閉成状態にすると共に、（ｃ）（ｄ）に示すように３ラウンド用動画像データ及び特典抽選用動画像データの再生を停止する。
以降は、（ｂ）に示すように大入賞口を再び開成状態にして４ラウンド目以降の開放を行うと共に、（ｃ）に示すように特別遊技状態動画像データを再生して図柄表示装置に４ラウンド目以降のラウンド用動画像を表示させるようにする。なお、４ラウンド目以降は、（ｄ）に示すように特典抽選用動画像データを再生することなく、特別遊技状態動画像だけを表示するようにしている。そして、時点ｔ１８において、（ｂ）に示すように大入賞口を開成状態にして最終ラウンド目の開放を行うと共に、（ｃ）に示すように特別遊技状態動画像データを再生して図柄表示装置に最終ラウンド用動画像を表示させる。そして大入賞口への規定数の入球又は規定開放時間が経過した時点ｔ１９において大入賞口を閉成状態にすると共に（ｃ）に示すように最終ラウンド用動画像データの再生を停止する。次に、時点ｔ２０において、（ｅ）に示すように特別遊技状態音声データを停止して、スピーカから特別遊技音声の出力を停止した後、（ａ）に示すように特別遊技状態信号がオンからオフになり、新たな遊技状態、例えば通常遊技状態や特典遊技状態に移行することになる。したがって、先においても述べたように、このようなタイミングにより特別遊技状態動画像データと特典抽選用動画像データの再生を行うパチンコ遊技機では、例えば２ラウンド目の特典遊技抽選動画像が表示されているときや、３ラウンド目の特典遊技の抽選結果報知が行われる前に、大入賞口に規定数の入球があると２ラウンドから３ラウンドへ、または３ラウンドから４ラウンドへと移行してしまい、遊技者は特典抽選用動画像や抽選結果報知動画像を最後まで見ることができなかった。
本発明は上記したような問題点を鑑みて成されたものであり、特別遊技状態における制御処理の増大を招くことなく、しかも遊技者の興趣を良好に保つことができるパチンコ遊技機を提供することを目的とする。
【課題を解決するための手段】
【０００７】
上記目的を達成するため、請求項１記載の本発明は、始動条件の成立に伴い乱数値を抽出する主制御手段を有し、該主制御手段からの前記乱数値に関するデータに基づき所定回数を上限として可変入賞装置を閉成状態から開成状態へと繰り返し可変動作させる特別遊技状態が生起されるように構成したパチンコ遊技機において、動画像を表示する画像表示手段と、所定時間連続して再生するように構成された特別遊技状態動画像データ及び前記特別遊技状態動画像データと同等の再生時間を有する特別遊技状態音声データを記憶した記憶手段と、前記特別遊技状態の終了を検出する検出手段と、前記特別遊技状態音声データに応じた音声を出力する音声出力手段と、前記主制御手段により前記特別遊技状態が生起された際に、前記記憶手段に記憶された前記特別遊技状態動画像データを読み出して、前記特別遊技状態中に、前記可変入賞装置の開閉回数に関係なく且つ複数の開閉動作に跨って、前記特別遊技状態動画像データに応じた動画像を前記画像表示手段に連続的に表示する表示制御を行う副制御手段と、を備え、前記副制御手段は、前記音声出力手段から出力される前記特別遊技状態音声データに応じた音声と前記画像表示手段に表示される前記特別遊技状態動画像データに応じた動画像とが同調したタイミングでもって出力されるように制御すると共に、前記特別遊技状態動画像データ及び前記特別遊技状態音声データの所定時間に渡る再生終了までに前記検出手段により前記特別遊技状態の終了が検出されなかったときは、前記特別遊技状態動画像データに応じた動画像を繰り返し前記画像表示手段により表示する制御と前記特別遊技状態音声データに応じた音声を繰り返し前記音声出力手段から出力する制御を行う一方、前記特別遊技状態動画像データ及び前記特別遊技状態音声データの再生中に前記検出手段により前記特別遊技状態の終了が検出されたときは、前記特別遊技状態動画像データに応じた動画像の出力と前記特別遊技状態音声データに応じた音声の出力を停止する制御を行うことを特徴とする。
【発明の効果】
【０００８】
本発明のパチンコ遊技機によれば、特別遊技状態のラウンド毎に予め設定された動画像データを読み出す必要が無いため、副制御手段などの遊技制御装置にかかる処理の負荷を軽減することができるようになる。
また、動画像データの進行はラウンドの進行とは整合せずに、時間によってその進行が管理されているため、ラウンド移行に伴って動画像データが切り替わってしまうことがなく遊技者の興趣が削がれるという弊害も解消することができる。
また、大当たりの開始から終了までの期間を検出手段により検出し、この期間中においては特別遊技状態動画像データに応じた画像を画像表示手段に繰り返し表示するようにしているため、特別遊技状態動画像データのデータ量を削減することができ、それだけ副制御手段の処理に要する負荷を軽減することができる。
さらに、画像表示手段に表示される特別遊技状態動画像データに応じた動画像と、特別遊技状態音声データによって出力される音声とを同調させることにより、特別遊技状態において画像表示手段に表示される動画像と、音声出力手段から出力される楽曲と同調したリズムで再生することができるので、遊技者にとって斬新で興趣に富んだパチンコ遊技機を提供することができる。
さらに、大当たりの開始から終了までの期間を検出手段により検出し、この期間中においては特別遊技状態音声データに応じた音声を音声出力手段から繰り返し出力するようにしているため、特別遊技状態音声データのデータ量を削減することができ、それだけ副制御手段などの遊技制御装置の処理に要する負荷を軽減することができる。
【図面の簡単な説明】
【０００９】
【図１】本発明の実施形態に係るパチンコ遊技機の正面図である。
【図２】本実施形態に係るパチンコ遊技機の遊技盤の正面図である。
【図３】本実施形態に係るパチンコ遊技機の遊技制御装置の構成を示したブロック図である。
【図４】本実施形態のパチンコ遊技機の特別遊技状態における表示態様を示した図である。
【図５】本実施形態のパチンコ遊技機における特別遊技状態動画像データと特典抽選報知動画像データの再生タイミングを示したタイミングチャートである。
【図６】従来のパチンコ遊技機における特別遊技状態動画像データと特典抽選用動画像データの再生タイミングを示したタイミングチャートである。
【発明を実施するための形態】
【００１０】
以下、本発明のパチンコ遊技機の実施形態について説明する。
図１は、本発明の実施形態に係るパチンコ遊技機の正面図である。
図１に示すパチンコ遊技機１は、矩形形状の枠２を有し、この枠２の前面側には、その窓孔に対応して裏側から遊技盤３が着脱可能に装着される。遊技盤３の前側にはガラス枠４が開閉可能に装着されている。また、ガラス枠４の下部には遊技球を貯留する上受け皿５が設けられ、この上受け皿５の下部には、余剰球を貯留する下受け皿６と遊技球を発射する発射レバー７、スピーカ（音声出力手段）８等が設けられている。
【００１１】
図２は、本実施形態に係るパチンコ遊技機の遊技盤の正面図である。
この図２に示すように本実施形態に係るパチンコ遊技機の遊技盤３の略中央上部には、液晶表示部からなる図柄表示装置９が配置されている。
図柄表示装置９は、例えば液晶表示パネルによって構成され、通常動作状態のときは特別図柄１０、普通図柄１１、特別図柄１１の可変回数を記憶した記憶表示部１２などの画像が表示される。また図柄表示装置９には、特別遊技状態のときに、特別遊技状態動作画像及び特典抽選報知用動画像等が表示される。なお、特別遊技状態動作画像及び特典抽選報知用動画像については後述する。
図柄表示装置９の中央位置の下方には、図柄表示装置９の特別図柄１０を可変表示させるための始動口１３が設けられている。また図柄表示装置９の左方向には、図柄表示装置９に表示されている普通図柄１１を作動させるためのゲート１４が設けられている。
また始動口１３の下方には、特別遊技状態の一つである大当たり状態のときに開成状態になる可変入賞装置として開閉扉が開閉動作する大入賞口１５が設けられている。
なお、遊技盤３には左右に風車１６、左右一対の開閉爪を有する電動式チューリップ１７、普通入賞口１８、最下部にアウト口１９等が設けられている。
図柄表示装置９に表示される普通図柄１１は、１個または複数個の図柄を変動表示可能であり、普通図柄始動口としてのゲート１４が遊技球を検出することを条件に、その図柄が乱数制御等により所定時間可変して停止するようになっている。普通図柄１１としては、数字図柄、アルファベット図柄、キャラクター図柄、その他の適宜の遊技図柄が使用される。そして、ゲート１４を遊技球が通過したことを条件に乱数制御により普通図柄１１が所定態様となった場合に、始動口１３の直下に設けられた電動式チューリップ１７の開閉可能な開閉爪を所定時間、開動作するように構成されている。
また図柄表示装置９に表示される特別図柄１０は、停止図柄が予め定められた図柄の組合せ、例えば同一図柄の組合せとなった場合に大当たり状態となるように構成されている。また特別図柄１０は、始動口１３が遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１２】
図３は、本実施形態に係るパチンコ遊技機の遊技制御装置の構成を示したブロック図である。
この図３に示すように本実施形態のパチンコ遊技機は、主制御手段を構成する主制御基板２１と、副制御手段を構成する図柄制御基板２２、ランプ制御基板２３及び音声制御基板２４とが設けられている。なお、以下、本明細書では、図柄制御基板２２、ランプ制御基板２３、音声制御基板２４のことを副制御基板ということもある。
主制御基板２１及び副制御基板２２〜２４は、遊技盤３の裏面側の所定位置に例えば基板ケースに収納された状態で配置されている。
主制御基板２２は、ＣＰＵ２５、ＲＯＭ２６、ＲＡＭ２７及び入出力インターフェース（Ｉ／Ｏ）２８、２９等を有し、後述する各種スイッチやソレノイド等の制御を行うことにより、主に遊技盤３の遊技動作に関する制御を行う。入出力インターフェース２８の入力側には、始動口１３に設けられた始動スイッチ（ＳＷ）１３ａ、大入賞口１５に設けられたカウントスイッチ（ＳＷ）１５ａ、大入賞口１５の開閉扉を開閉動作させるための大入賞口ソレノイド１５ｂ、普通入賞口１８に設けられた普通入賞スイッチ（ＳＷ）１８ａ等が接続されている。また、入出力インターフェース２８の出力側には継続スイッチ（ＳＷ）３０が接続されている。また入出力インターフェース２９には、図柄制御基板２２の入出力インターフェース３４が接続されている。
図柄制御基板２２は、ＣＰＵ３１、ＲＯＭ３２、ＲＡＭ３３、入出力インターフェース（Ｉ／Ｏ）３４、３５、３６、不揮発性のメモリであるフラッシュロム３７等を有し、上記した特別図柄１０や普通図柄１１等の表示を行う図柄表示装置９の制御を行う。入出力インターフェース３５の出力側には図柄表示装置９が接続されている。また入出力インターフェース３６には、ランプ制御基板２３の入出力インターフェース（Ｉ／Ｏ）４４と音声制御基板２５の入出力インターフェース（Ｉ／Ｏ）５４とがそれぞれ接続されている。
【００１３】
フラッシュロム（記憶手段）３７には、図柄表示装置９に表示する各種動画像データやスピーカ８から出力する各種音声データが記憶されている。例えば、大当たり等の特別遊技状態のときに、図柄表示装置９に表示する特別遊技状態動画像データやスピーカ８から出力する特別遊技状態音声データが記憶されている。これら特別遊技状態動画像データ及び特別遊技状態音声データは所定時間連続して再生を実行することができるデータである。
またフラッシュロム３７には、特別遊技状態のときに特別遊技状態終了後に特典遊技（確率変動や時間短縮遊技等）を遊技者に対して付与する否かを表示するための特典抽選報知動画像データも記憶されている。この特典抽選報知動画像データは抽選開始から抽選終了に至るまでの動画像と抽選結果を報知するための動画像データとされる。またこのような特典抽選報知動画像データの再生時間は、当該パチンコ遊技機が特別遊技状態となっている時間により短い時間に設定されている。つまり、特典抽選報知用動画像の再生時間は、大当たり動作の実行時間内において確実に終了する時間に設定されている。
なおフラッシュロム３７には大当たり時に各ラウンドを遊技者に知らせるためのラウンド画像データなども記憶されている。
ランプ制御基板２３は、ＣＰＵ４１、ＲＯＭ４２、ＲＡＭ４３、入出力インターフェース４４、４５等を有し、各種ランプやＬＥＤ等の点灯制御を行う。入出力インターフェース４４は遊技盤３の枠２を飾る装飾ランプ４６、枠ランプ４７、保留ランプ４８等に接続されている。
音声制御基板２４は、ＣＰＵ５１、ＲＯＭ５２、ＲＡＭ５３、入出力インターフェース５４、５５等を有し、入出力インターフェース５５を介して接続されているスピーカ８から出力する音声の制御を行う。
このように構成されるパチンコ遊技機においては、始動口１３への入球を始動スイッチ１３ａが検知するなどの始動条件の成立に伴い、主制御基板２１のＣＰＵ２５が乱数値を抽出する。そして、抽出した乱数値に関するデータに基づき所定回数を上限として大入賞口１５を閉成状態から開成状態へと繰り返し可変動作させる特別遊技状態が生起されるように構成している。
【００１４】
図４は、特別遊技状態の表示態様を示した図である。
先ず、大当りが生起されると、図柄表示装置９には、例えば図４（ａ）に示すような大当り画像６１が表示される。次に大当たり終了後に確率変動の特典遊技を遊技者に対して付与するか否かを報知するために、図４（ｂ）に示すような再抽選画像６２が表示される。なお、本発明のパチンコ遊技機では、必ずしも図４（ｂ）に示す再抽選画像６２を表示する必要は無い。
再抽選画像６２の表示後は、図柄表示装置９に大当たり時の動画像である特別遊技状態動画像が表示されることになるが、本実施の形態では、図４（ｃ）に示すように、特別遊技状態動画像６３に特典抽選報知動画像６４を重畳して表示するようにしている。このとき図柄表示装置９に表示される特別遊技状態動画像６３及び特典抽選報知動画像６４は、大入賞口１５の開閉動作に関係なく、つまりラウンド数に関係なく連続的に表示されることになる。なお、実際には遊技者に現在のラウンド数を告知するために特別遊技状態動画像６３にラウンド数画像を重畳して表示することが好ましい。
そして、図４（ｃ）に示すように、特別遊技状態動画像６３と特典抽選報知動画像６４との表示を開始してから所定時間経過した時点で、特典抽選報知動画像の表示だけを終了するようにしている。なお、特典抽選報知動画像の終了タイミングは、特別遊技状態が終了するより前の時点であればよく、特別遊技状態に要する時間などを考慮して適宜設定すればよい。特典抽選報知動画像の表示終了後は、図４（ｄ）に示すように特別遊技状態動画像６３だけが表示され、特別遊技状態の終了によって特別遊技状態動画像６３の表示が終了することになる。なお、特別遊技状態の終了は大入賞口１５のカウントスイッチ１５ａのカウント値等に基づいて主制御基板２１のＣＰＵ２５が検出するようにしている。
即ち主制御基板２１のＣＰＵ２５が検出手段として機能していることになる。
【００１５】
このように本実施の形態のパチンコ遊技機は、特別遊技状態動画像及び特典抽選用動画像の進行が、ラウンドの進行とは整合せずに時間により、その進行を管理することができるため、従来のように特典遊技の抽選にかかる動画像が表示されている最中や、抽選結果の報知が行われる前に、特典遊技の動画像を表示しているラウンドが次のラウンドへと移行してしまうといったことなく、特別遊技状態中に特典抽選用動画像を表示する場合においても遊技者の興趣が削がれるといったことがない。
また本実施の形態パチンコ遊技機においては、フラッシュロム３７に特別遊技状態動画像データと同等の再生時間を有する特別遊技状態音声データが記憶されていると共に、当該特別遊技状態音声データに応じた音声を出力するスピーカ８からをさらに備え、音声制御基板２４は、スピーカ８から出力される特別遊技状態用音声と図柄表示装置９に表示される特別遊技状態用動画像及び特典抽選報知用動画像とが同調したタイミングでもって出力されるように制御するようにしている。これにより、図柄表示装置９に表示される特別遊技状態動画像を、スピーカ８から出力される特別遊技状態音声として出力される楽曲と同調したリズムにより再生することができるので、遊技者にとって斬新で興趣に富んだパチンコ遊技機を提供することができる。
【００１６】
図５は、本実施形態のパチンコ遊技機における特別遊技状態動画像データと特典抽選報知動画像データの再生タイミングを示したタイミングチャートである。
通常遊技状態において、特別遊技状態が生起され、図５（ａ）に示す特別遊技状態信号がオフ（ＯＦＦ）からオン（ＯＮ）になると、主制御基板２１の制御により図柄制御基板２２のＣＰＵ３１はフラッシュロム３７から特別遊技状態動画像データと特典抽選用動画像データを読み出して、図５（ｂ）（ｃ）に示すように、時点ｔ１から特別遊技状態動画像データと特典抽選報知動画像データを再生する。これにより、図柄表示装置９には上記図４（ｂ）に示したような特別遊技状態動画像６３に特典抽選報知動画像６４が重畳された動画像が表示されることになる。またほぼ同時のタイミングで、ＣＰＵ３１はフラッシュロム３７から特別遊技状態音声データを読み出して音声制御基板２４に伝送する。これにより、音声制御基板２４のＣＰＵ５１は、図５（ｄ）に示すようなタイミングで特別遊技状態音声データの再生を行う。そして、時点ｔ２において、図５（ｃ）に示す特典抽選報知動画像データの再生を終了すると、以降は特別遊技状態動画像データだけを再生することになる。これにより、図柄表示装置９には上記図４（ｄ）に示したような特別遊技状態動画像６３だけが表示されることになる。そして、最終ラウンドが終了して特別遊技状態の終了が検出された時点ｔ３において、図５（ｂ）に示す特別遊技状態動画像データの再生と、図５（ｄ）に示す特別遊技状態音声データの再生を停止した後、図５（ａ）に示す特別遊技状態信号がオンからオフになり、新たな遊技状態、例えば通常遊技状態、確率変動や時間短縮遊技等の特典遊技状態に移行することになる。
【００１７】
このように本実施の形態のパチンコ遊技機においては、フラッシュロム３７に所定時間連続して再生するように構成された特別遊技状態動画像データと、特別遊技状態の終了後に新たな特典遊技を付与するか否かの抽選開始から抽選終了に至るまでの動画像を含み前記特別遊技状態の実行時間より短い時間で再生が終了するように構成された特典抽選報知動画像データとを記憶しておくようにする。そして、主制御基板２１のＣＰＵ２５により特別遊技状態が生起された際に、図柄制御基板２２のＣＰＵ３１の制御により、フラッシュロム３７に記憶された特別遊技状態動画像データと特典抽選報知動画像データとを読み出して、特別遊技状態動画像データと特典抽選報知動画像データに応じた動画像を図柄表示装置９に表示する表示制御を行うようにしている。
このように構成すると、従来のように特別遊技状態のラウンド毎に予め設定した特別遊技状態動画像データや特典抽選用動画像データなどを読み出す必要が無いため、遊技制御装置の負荷を軽減することができるようになる。
【００１８】
また、本実施の形態のパチンコ遊技機では、図柄制御基板２２は、特別遊技状態動画像データの所定時間に渡る再生を行った後に、主制御基板２１のＣＰＵ２５により特別遊技状態の終了が検出されない際には、特別遊技状態動画像データに応じた動画像を繰り返し図柄表示装置９に表示するように制御する一方、主制御基板２１のＣＰＵ２５により特別遊技状態の終了が検出された際には、特別遊技状態動画像データの再生を停止するように制御するようにした。
また音声制御基板２４は、特別遊技状態音声データの所定時間に渡る再生を実行した後に、主制御基板２１のＣＰＵ２５により特別遊技状態の終了が検出されない際には、特別遊技状態音声データに応じた音声を繰り返しスピーカ８から出力するように制御する一方、主制御基板２１のＣＰＵ２５により特別遊技状態の終了が検出された際には、特別遊技状態音声データの再生を停止するように制御するようにした。
このようにすれば、大当たりの開始から終了までの期間を主制御手段のＣＰＵ２５が監視し、この期間中においては特別遊技状態動画像データと特別遊技状態音声データを図柄表示装置９及びスピーカ８から繰り返し出力するように制御することができるため、フラッシュロム３７に記憶しておく動画像データや音声データのデータ量を削減することができ、それだけ副制御手段の処理に要する負荷を軽減することができる
【符号の説明】
【００１９】
１  パチンコ遊技機、２  枠、３  遊技盤、４  ガラス枠、５  上受け皿、６  下受け皿、７  発射レバー、８  スピーカ、９  図柄表示装置、１０  特別図柄、１１  普通図柄、１２  特別図柄記憶表示部、１３  始動口、１４  ゲート、１５  大入賞口、１６  風車、１７  電動式チューリップ、１８  普通入賞口、１９  アウト口、２１  主制御基板、２２  図柄制御基板、２３  ランプ制御基板、２４  音声制御基板、３７  フラッシュロム
【図１】
2011005318.tif 000003
【図２】
2011005318.tif 000004
【図３】
2011005318.tif 000005
【図４】
2011005318.tif 000006
【図５】
2011005318.tif 000007
【図６】
2011005318.tif 000008